(57)【要約】【課題】  木質材料に比較して硬質の板材を木質下地に対してより強固に取付けるのに適した建築用木ネジを提供する。【解決手段】  ネジ山２１を有する軸部２と、該軸部をねじ込むための工具掛け部３１を有し軸部２に比べて大径の頭部３と、該軸部２から該頭部に向って拡径するラッパ状をなした首部４とを有する。上記軸部のネジ山２１は、軸部先端側の打ち込み側フランク角が、頭部側の引き抜き側フランク角より大きく形成され、上記ラッパ状の首部４には、その表面の軸部側から頭部側に延びる刃状の稜線４３を持つ複数の山形のリブ４２を設け、頭部３の周囲には、ラッパ状の首部４に連なる平面状のフランジ部３２を設ける。【選択図】        図１
2005113489.tif 000002
【特許請求の範囲】
【請求項１】
木質下地にパーティクルボードなどの木質材料に比較して硬質の板材を装着するための建築用木ネジであって、
ネジ山を有する軸部と、該軸部をねじ込むための工具掛け部を有し軸部に比べて大径の頭部と、該軸部から該頭部に向って拡径するラッパ状をなした首部とを有し、
上記軸部のネジ山は、軸部先端側の打ち込み側フランク角が、頭部側の引き抜き側フランク角より大きく形成され、
上記ラッパ状をなす首部には、そのラッパ状の表面の軸部側から頭部側に延びる刃状の稜線を持つ複数の山形のリブを設け、
上記頭部の周囲には、ラッパ状の首部に連なる平面状のフランジ部を設けた、
ことを特徴とする建築用木ネジ。  
【請求項２】
上記ネジ山の打ち込み側フランク角が３０度であり、引き抜き側フランク角が１５度であることを特徴とする請求項１に記載の建築用木ネジ。  
【請求項３】
上記首部の山形のリブの稜線が、軸部の中心軸線に直交する方向に対して等角度に傾斜し且つ略９０度の角度で相互に交差する二つの斜面の交差部によって形成され、該リブが首部全周に等間隔で４本以上設けられていることを特徴とする請求項１または２に記載の建築用木ネジ。
【請求項４】
上記頭部における工具掛け部を四角穴によって形成したことを特徴とする請求項１ないし３のいずれかに記載の建築用木ネジ。
【発明の詳細な説明】
【技術分野】
【０００１】
本発明は、壁材を下地材に取着するための木ネジに関し、更に詳しくは、ツー・バイ・フォー工法（以下、２×４工法という。）等における木質下地にそれより硬質の壁材を取着する場合に用いるのに有効な建築用木ネジに関する。
【背景技術】
【０００２】
従来、２×４工法による住宅建築においては、木質材料で構成した下地に釘や木ネジを用いて壁材を取着し、壁面を形成している。また、内装用の壁材としては、近年、種々のものが開発され、その一つとして、木質切削片を所定の形に配向させると共に熱硬化樹脂で圧着したオリエンテッド・ストランド・ボード（以下、ＯＳＢという。）と称する内装壁材が開発されている。また、このＯＳＢばかりでなく、各種パーティクルボード等の、木質材料よりも硬質のものが多用されている。これらの板材は、木質材料が主原料であるため、木質材料の特性を保持しながらも、樹脂等で圧着して製造することから、特に表面密度が高く、木質材料に比して硬質であり、これを下地に釘で固定すると、建物の修理あるいは解体時における廃材の廃棄処分に際し、金属である釘の分別が困難あるいはその分別に手数を要することになる。その分別を容易にするためには、木ネジを用いるのがより適切であるが、市販の木ネジで上述の内装壁材を取着すると、該壁材が硬質であるため、木ネジの頭部が壁材表面と面一になるまでねじ込むのが困難で、該頭部が板面から浮き上がってしまうと云う問題がある。
【０００３】
また、これを無理にねじ込もうとすると、木質下地にねじ込まれたネジ山が該下地におけるねじの螺挿部分を崩し、それに伴って壁材が下地から浮き上がってしまったり、硬質の壁材の表面部分が木ネジの頭部により破損したりする。このような破損は、それ自体の補修を必要とすることもあり、また、それが目立たないものであっても、壁材を取り付け直さなければならない場合などに、壁材の再使用がしにくくなると云う問題がある。
【発明の開示】
【発明が解決しようとする課題】
【０００４】
本発明は、上述した問題を解決するためになされたものであり、その解決しようとする課題は、木質材料に比較して硬質の板材を木質下地に対してより強固に取付けるのに適した建築用木ネジを提供することにある。
本発明の他の課題は、木ネジの頭部が上記硬質の板材と面一になり、あるいは該頭部が板面から若干沈み込むまで容易にねじ込むことができ、その間に、硬質の壁材の表面部分が木ネジの頭部により大きく破損したりすることがない建築用木ネジを提供することにある。
本発明の他の課題は、建物の修理あるいは解体時における廃材の処分に際し、容易に板材等と分別できるようにした建築用木ネジを提供することにある。
【課題を解決するための手段】
【０００５】
上記課題を解決するための本発明の建築用木ネジは、木質下地にパーティクルボードなどの木質材料に比較して硬質の板材を装着するための建築用木ネジであって、ネジ山を有する軸部と、該軸部をねじ込むための工具掛け部を有し軸部に比べて大径の頭部と、該軸部から該頭部に向って拡径するラッパ状をなした首部とを有し、上記軸部のネジ山は、軸部先端側の打ち込み側フランク角が、頭部側の引き抜き側フランク角より大きく形成され、上記ラッパ状をなす首部には、そのラッパ状の表面の軸部側から頭部側に延びる刃状の稜線を持つ複数の山形のリブを設け、上記頭部の周囲には、ラッパ状の首部に連なる平面状のフランジ部を設けたことを特徴とするものである。
【０００６】
本発明の建築用木ネジの好ましい実施形態においては、上記ネジ山の打ち込み側フランク角を３０度に、引き抜き側フランク角を１５度に形成される。
本発明の建築用木ネジの他の好ましい実施形態においては、上記首部の山形のリブの稜線が、軸部の中心軸線に直交する方向に対して等角度に傾斜し且つ略９０度の角度で相互に交差する二つの斜面の交差部によって形成され、該リブが首部全周に等間隔で４本以上設けられる。
更に、本発明の建築用木ネジの他の好ましい実施形態においては、上記頭部における工具掛け部が四角穴によって形成される。
【０００７】
上記構成を有する建築用木ネジにおいては、頭部の周囲に、ラッパ状の首部に連なる平面状のフランジ部を設け、更に軸部のネジ山の打ち込み側フランク角を引き抜き側フランク角より大きくしているので、取り付けた板材の保持強度が高められるが、上記ラッパ状の首部に連なるフランジ部によって、頭部が板材により沈み難い形状になっている。
しかるに、上記ラッパ状をなす首部には刃状の稜線を持つ複数の山形のリブを設けているので、該リブによってねじ込み時に板材におけるラッパ状の首部の周囲の部分が削られることになり、それによって、木ネジの頭部が上記硬質の板材と面一あるいは該頭部が板面から若干沈み込むまで、容易にねじ込むことができる。また、上記リブは木ネジのねじ込み後には該木ネジの弛み止めの機能をも発揮することになる。
【０００８】
更に、上記建築用木ネジにおいては、軸部をねじ込むための工具掛け部を四角穴によって形成しているので、プラスまたはマイナスのドライバー用溝を有するものに比して、工具掛け部が崩れる可能性が低く、そのため、建物の修理あるいは解体時にも容易に木ネジを螺脱することができ、廃材の処分に際しても、金属である木ネジを他の廃材から容易に分別することができる。
【発明の効果】
【０００９】
上記構成を有する本発明の建築用木ネジは、木質材料に比較して硬質の板材を木質下地に取付けるのに適し、該木ネジの頭部が上記硬質の板材と面一になり、あるいは該頭部が板面から若干沈み込むまで容易にねじ込むことができ、その間に、硬質の壁材の表面部分が木ネジの頭部により大きく破損したりすることがなく、しかも、建物の修理あるいは解体時における廃材の処分に際し、金属である木ネジを容易に他の素材から分別することができる。
【発明を実施するための最良の形態】
【００１０】
図示の実施例は、主として２×４工法の住宅建築において、木質材料で構成した下地にパーティクルボードなどの木質材料に比較して硬質の内装壁材等を取着する場合に用いる建築用木ネジとして構成したものである。
この実施例の木ネジ１は、図１に示すように、ネジ山２１を有する軸部２と、該軸部２をねじ込むための工具掛け部３１（図２参照）を有し、軸部２に比べて大径の頭部３と、該軸部２から該頭部３に向って拡径するラッパ状面４１を有する首部４とから構成されている。
【００１１】
上記軸部２は、尖頭状の先端部２２の先端近傍から頭部側の丸棒部２４まで切られているネジ山２１を有し、該ネジ山２１は、図３に示すように、ネジ山２１の軸部２の先端側に位置する打ち込み側フランク２５のフランク角αが、頭部３側に位置する引き抜き側フランク２６のフランク角βよりも大きく形成され、更に具体的には、上記打ち込み側フランク角αが３０度に形成され、引き抜き側フランク角βが１５度に形成されている。
これにより、木ネジの打ち込みの抵抗を小さく、一方、引き抜きの抵抗が高くなるようにしている。
【００１２】
また、上記頭部３は、軸部２に比べて大径の円板状をなし、該頭部の周囲には、首部４のラッパ状面４１に連なる平面状のフランジ部３２を設けている。このフランジ部３２は、本発明者が試作した木ネジでは０．５ｍｍの幅の平面を有するものとして構成しているが、それに限るものではない。但し、このフランジ部３２を大きくすると、取り付けた板材の保持強度が高められる反面、木ネジ１の打ち込みの最終段階で抵抗になり、該フランジ部３２によって頭部３が板材に沈み難い形状になるので、木ネジ１における他の構造、例えば首部４におけるラッパ状面４１の形状やそこに設ける後述のリブ４２等との関連において適切な幅に設定されるべきである。
更に、頭部３の表面には上記工具掛け部３１を設けている。この工具掛け部３１は、図２に示すように、四角レンチを嵌合させる四角穴によって形成したものである。
【００１３】
また、上記木ネジ１は、図４および図５に示すように、軸部２の丸棒部２４と頭部３との間に位置するラッパ状の首部４を備え、そして、この首部４には、丸棒部２４と連なるラッパ状面４１の表面に、複数の山形のリブ４２を設けている。該リブ４２は、ラッパ状面４１の軸部２側から頭部３側に直線的に延びる刃状の稜線４３を持った突出部であり、このリブ４２を形成する両側の斜面４４は、軸部２の中心軸線に直交する方向に対して等角度に傾斜し且つ略９０度の角度で相互に交差するように形成され、これらの二つの斜面４４，４４の交差部によって上記リブ４２の刃状の稜線４３が形成されている。
【００１４】
これらのリブ４２は、木ネジ１を打ち込む際に、板材におけるラッパ状の首部４の周囲の部分を削る切削刃として機能し、それにより、頭部３および首部４を納めるための座ぐりを板材に形成するものであり、その結果、上記首部４に連なる頭部周囲のフランジ部３２によって、該頭部３が板材により沈み難い形状になっていても、木ネジ１の頭部３が上記硬質の板材と面一あるいは該頭部が板面から若干沈み込むまで、容易にねじ込むことが可能になる。また、上記リブ４２は木ネジ１のねじ込み後には該木ネジ１の弛み止めの機能をも発揮することになる。
【００１５】
上記リブ４２は、図示の実施例ではラッパ状面４１の全周に等間隔に同形状のものを６本配設しているが、望ましくは、首部全周に等間隔で４本以上、更に具体的には、４〜８本程度設けられる。
【００１６】
なお、従来からパーティクルボード等の木質材料よりも硬質の板材を下地材に固定するための木ネジとしては、通常、ＪＩＳのＳＷＣＨ１８Ａ線材用鋼材が用いられているが、この実施例の木ネジは、該ＳＷＣＨ１８Ａに比して表面硬度、浸炭硬化層深さは同等であるが、炭素、マンガンの含有量が少なく、撓性を備えて芯部硬度を低くできるＳＷＣＨ１０ＡＭ線材用鋼材を用い、硬質の板材に打ち込んでも締め付け力を十分発揮できるようにし、また、軸部２の径及びネジ山の高さを大きくしているので、この点でも取付け強度が高められる。
【００１７】
上記構成を有する建築用木ネジ１においては、頭部３の周囲に平面状のフランジ部３２を設け、更にネジ山２１の打ち込み側フランク角αを引き抜き側フランク角βより大きくしているので、取り付けた板材の保持強度が高められるが、首部のラッパ状面４１に刃状の稜線４３を持つ複数のリブ４２を設けているので、該リブ４２によってねじ込み時にラッパ状面４１の周囲が削られ、それによって、木ネジの頭部３が上記硬質の板材と面一あるいは該頭部が板面から若干沈み込むまで、容易にねじ込むことができる。上記リブ４２は木ネジのねじ込み後には弛み止めの機能をも発揮する。
【００１８】
また、軸部２をねじ込むための工具掛け部３１を四角穴によって形成しているので、プラスまたはマイナスのドライバー用溝を有するものに比して、工具掛け部３１の周囲が崩れる可能性が低く、そのため、建物の修理あるいは解体時にも容易に木ネジ１を螺脱することができ、廃材の処分に際しても、金属である木ネジを他の廃材から容易に分別することができる。
【図面の簡単な説明】
【００１９】
【図１】本発明に係る建築用木ネジの実施例を示す正面図である。
【図２】上記実施例の平面図である。
【図３】上記実施例におけるネジ山の拡大断面図である。
【図４】上記実施例における首部の拡大正面図である。
【図５】図４におけるリブの拡大断面図である。
【符号の説明】
【００２０】
１      木ネジ
２      軸部
３      頭部
４      首部
２１      ネジ山
３１      工具掛け部
３２      フランジ部
４１      ラッパ状面
４２      リブ
４３      稜線
４４      斜面
α      打ち込み側フランク角
β      引き抜き側フランク角
【図１】
2005113489.tif 000003
【図２】
2005113489.tif 000004
【図３】
2005113489.tif 000005
【図４】
2005113489.tif 000006
【図５】
2005113489.tif 000007